(57)【要約】【課題】光記録媒体へのデータ記録方法及びその装置を提供する。【解決手段】ＤＣ記録パターン、及びマルチパルスを含む消去パターンを有する記録波形を用いてマークまたはスペースを形成する。それによりマーク形状の歪曲を抑制すると同時にマーク形状が改善されて記録／再生特性が向上する。【選択図】　　　図４
2004014101.tif 000002
【特許請求の範囲】
【請求項１】
光記録媒体へのデータ記録方法において、
（ｂ）ＤＣ記録パターン、及びマルチパルスを含む消去パターンを有する記録波形を用いてマークまたはスペースを形成する段階を含むことを特徴とする方法。
【請求項２】
前記（ｂ）段階はランレングスリミテッド（ＲＬＬ）（２、１０）によって記録する段階であることを特徴とする請求項１に記載の方法。
【請求項３】
前記（ｂ）段階は所定のＮＲＺＩデータの第１レベルをマークとして、第２レベルをスペースとして記録する段階であることを特徴とする請求項１または２に記載の方法。
【請求項４】
光記録媒体へのデータ記録方法において、
（ａ）チャンネル変調されたデジタルデータを生成する段階と、
（ｂ）ＤＣ記録パターン、及びマルチパルスを含む消去パターンを含む記録波形を生成する段階と、
（ｃ）生成された記録波形を用いてデジタルデータの第１レベルをマークとして、第２レベルをスペースとして形成する段階と、を含むことを特徴とする方法。
【請求項５】
光記録媒体へのデータ記録方法において、
（ａ）チャンネル変調されたデジタルデータを生成する段階と、
（ｂ）変形されたマルチパルスを含む消去パターンを含む記録波形を生成する段階と、
（ｃ）生成された記録波形を用いてデジタルデータの第１レベルをマークとして、第２レベルをスペースとして形成する段階と、を含むことを特徴とする方法。
【請求項６】
光記録媒体へのデータ記録方法において、
（ａ）チャンネル変調されたデジタルデータを生成する段階と、
（ｂ）変形されたＤＣ記録パターン、及び変形されたマルチパルスを含む消去パターンを含む記録波形を生成する段階と、
（ｃ）生成された記録波形を用いてデジタルデータの第１レベルをマークとして、第２レベルをスペースとして形成する段階と、を含むことを特徴とする方法。
【請求項７】
前記変形されたＤＣ記録パターンのパワーレベルは前記消去パターンのそれより高い相異なるパワーレベルを有することを特徴とする請求項６に記載の方法。
【請求項８】
前記（ａ）、（ｂ）及び（ｃ）段階はＲＬＬ（２、１０）に基づくことを特徴とする請求項４に記載の方法。
【請求項９】
前記（ａ）、（ｂ）及び（ｃ）段階はＲＬＬ（１、７）に基づくことを特徴とする請求項４に記載の方法。
【請求項１０】
前記消去パターンの先頭消去パルスのパワーレベルは前記マルチパルスまたは変形されたマルチパルスのローレベルであり、最終後消去パルスのパワーレベルは前記マルチパルスまたは変形されたマルチパルスのハイレバルであることを特徴とする請求項４に記載の方法。
【請求項１１】
前記消去パターンの先頭消去パルス及び最終後消去パルスのパワーレベルは前記マルチパルスまたは変形されたマルチパルスのハイレバルであることを特徴とする請求項４に記載の方法。
【請求項１２】
前記消去パターンの先頭消去パルス及び最終後消去パルスのパワーレベルは前記マルチパルスまたは変形されたマルチパルスのローレベルであることを特徴とする請求項４に記載の方法。
【請求項１３】
前記消去パターンの先頭消去パルスのパワーレベルは前記マルチパルスまたは変形されたマルチパルスのハイレバルであり、最終後消去パルスのパワーレベルは前記マルチパルスまたは変形されたマルチパルスのローレベルであることを特徴とする請求項４に記載の方法。
【請求項１４】
前記マルチパルスのハイレバルの持続時間はクロック周期の１／２であることを特徴とする請求項４に記載の方法。
【請求項１５】
前記ＤＣ記録パターンは、相異なるパワーレベルを有する先頭記録パルス、２番目の記録パルス、所定のパワーレベルが持続するＤＣパルス、及びクーリングパルスの順になされることを特徴とする請求項４に記載の方法。
【請求項１６】
前記ＤＣパルスのパワーレベルは、７クロック周期のマークを記録する場合に４クロック周期以上持続することを特徴とする請求項１５に記載の方法。
【請求項１７】
前記ＤＣパルスのパワーレベルは、前記先頭記録パルスのそれより高く、前記２番目の記録パルスより低く、前記クーリングパルスのパワーレベルは前記先頭記録パルスのそれより低いことを特徴とする請求項１６に記載の方法。
【請求項１８】
７クロック周期のマークを記録する場合に前記先頭記録パルス、２番目の記録パルス、及びクーリングパルスは、各々１／２クロック周期、１クロック周期、及び１クロック周期の間、持続することを特徴とする請求項１７に記載の方法。
【請求項１９】
前記クーリングパルスは対応するＮＲＺＩデータのエッジで終了することを特徴とする請求項１８に記載の方法。
【請求項２０】
前記ＤＣ記録パターンは、相異なるパワーレベルを有する先頭記録パルス、ＤＣパルス、最後記録パルス、及びクーリングパルスの順になされることを特徴とする請求項４に記載の方法。
【請求項２１】
前記ＤＣパルスは７クロック周期のマークを記録する場合、４クロック周期以上持続することを特徴とする請求項２０に記載の方法。
【請求項２２】
７クロック周期のマークを記録する場合、前記ＤＣパルスのパワーレベルは前記先頭記録パルスのそれより高く、前記最後記録パルスのそれより低く、前記クーリングパルスのパワーレベルは前記先頭記録パルスのそれより低く、
３クロック周期のマークを記録する場合、前記ＤＣパルスのパワーレベルは前記先頭記録パルス及び最後記録パルスのそれより高く、前記最後記録パルスのパワーレベルは前記先頭記録パルスのそれより高く、前記クーリングパルスのパワーレベルは前記先頭記録パルスのそれより低いことを特徴とする請求項２１に記載の方法。
【請求項２３】
前記ＤＣ記録パターンは、
７クロック周期のマークを記録する場合、相異なるパワーレベルを有する先頭記録パルス、２番目の記録パルス、ＤＣパルス、最後記録パルス、及びクーリングパルスの順になされ、
３クロック周期のマークを記録する場合、相異なるパワーレベルを有する先頭記録パルス、２番目の記録パルス、ＤＣパルス、及びクーリングパルスの順になされることを特徴とする請求項４に記載の方法。
【請求項２４】
前記ＤＣパルスは７クロック周期のマークを記録する場合に４クロック周期以上持続することを特徴とする請求項２３に記載の方法。
【請求項２５】
前記２番目の記録パルスと最後記録パルスのパワーレベルは前記ＤＣパルスのそれより高く、前記クーリングパルスのパワーレベルは前記ＤＣパルスのそれより低いことを特徴とする請求項２３に記載の方法。
【請求項２６】
前記クーリングパルスは対応ＮＲＺＩデータのエッジで終了することを特徴とする請求項２５に記載の方法。
【請求項２７】
前記ＤＣ記録パターンは、相異なるパワーレベルを有する先頭記録パルス、ＤＣパルス、及びクーリングパルスの順になされることを特徴とする請求項４に記載の方法。
【請求項２８】
前記ＤＣパルスは、７クロック周期のマークを記録する場合に４クロック周期以上持続し、３クロック周期のマークを記録する場合に１クロック周期以上持続することを特徴とする請求項２７に記載の方法。
【請求項２９】
前記ＤＣパルスのパワーレベルは、前記先頭記録パルスのそれより高く、前記クーリングパルスのパワーレベルは前記先頭記録パルスのそれより低いことを特徴とする請求項２８に記載の方法。
【請求項３０】
前記クーリングパルスは対応ＮＲＺＩデータのエッジで終了することを特徴とする請求項２９に記載の方法。
【請求項３１】
光記録媒体にデータを記録する装置において、
ＤＣ記録パターンまたは変形されたＤＣ記録パターンと、マルチパルスまたは変形されたマルチパルスよりなる消去パターンを有する記録波形を生成する記録波形生成部と、
生成された記録波形によって前記光記録媒体に光を照射してマークまたはスペースを形成するピックアップ部と、を含むことを特徴とする装置。
【請求項３２】
前記変形されたＤＣ記録パターンのパワーレベルは前記消去パターンのそれより高い相異なるパワーレベルを有することを特徴とする請求項３１に記載の装置。
【請求項３３】
外部から提供されたデータをチャンネル変調して生成されたＮＲＺＩデータを前記記録波形生成部に出力するチャンネル変調部をさらに含むことを特徴とする請求項３１に記載の装置。
【請求項３４】
前記ピックアップ部は、
前記光記録媒体を回転させるモータと、
前記光記録媒体にレーザー光を照射するか、前記光記録媒体から反射されたレーザー光を受信するための光ヘッドと、
前記モータ及び光ヘッドをサーボ制御するサーボ回路と、
前記光ヘッドに設けられたレーザーを駆動するレーザー駆動回路と、を備えることを特徴とする請求項３１に記載の装置。
【発明の詳細な説明】
【０００１】
【発明の属する技術分野】
本発明は光記録媒体へのデータ記録方法及びその装置に係り、特に光ディスクにマーク及びスペースを形成し、デジタルデータを記録する方法及びその装置に関する。
【０００２】
【従来の技術】
光記録媒体の１つである光ディスクにデータを記録するということは光ディスクに形成されたトラックにマーク及びスペースを形成することを意味する。ＣＤ−ＲＯＭ、ＤＶＤ−ＲＯＭなどの読取り専用ディスクの場合、マークまたはスペースはピットにより形成される。ＣＤ−Ｒ／ＲＷ、ＤＶＤ−Ｒ／ＲＷ／ＲＡＭなど記録可能ディスクの場合、記録層には温度によって結晶質または非晶質に変化する相変化膜が塗布されており、マーク及びスペースは相変化膜の相変化を通じて形成される。
【０００３】
信号検出の観点でデータ記録方式はマークエッジ記録方式及びマークポジション記録方式に分けられる。マークポジション記録方式によれば、検出されたＲＦ信号の振幅がマークが記録された位置で正／負から負／正に変更される。マークエッジ記録方式によれば、検出されたＲＦ信号の振幅がマークの両端で正／負から負／正に変更される。したがって、マークのエッジを正確に記録することは再生信号の品質を高めるのに重要な要素となる。
【０００４】
しかし、相変化膜が塗布されたディスクの場合、従来の記録方法によって記録されたマークの終端を観察すれば、マーク長またはマークの間隔、すなわちスペース長によってその形態が異なることが分かる。換言すれば、マークの終端がマークの先端に比べて大きく形成されて記録／再生特性を低下させている。記録マーク長が相対的に長い場合には熱蓄積によりさらに激しい。
【０００５】
図１は、従来の方式に係る記録波形を示す参考図である。ＮＲＺＩ（Ｎｏｎ　Ｒｅｔｕｒｎ　ｔｏ　Ｚｅｒｏ　Ｉｎｖｅｒｔｅｄ）データを記録するための記録波形が示されている。これはＤＶＤ＋ＲＷで使われる。ここで、Ｔは基準クロックの周期を意味する。マークエッジ記録方式によれば、ＮＲＺＩデータのハイレバルはマークとして記録され、ローレベルはスペースとして形成される。マークの記録に用いられる記録波形は記録パターンと称し、スペースの形成に用いられる（マークの消去に用いられる）記録波形は消去パターンと称する。従来の記録波形を説明すれば、記録パターンとしては持続時間とパワーレベルとが同じ単位パルスが連続するマルチパルスを使用し、所定のＤＣレベルに一定に保たれる消去パターンを使用することが分かる。
【０００６】
このように従来の記録波形に含まれている消去パターンは所定時間ＤＣレベルを一定に保つために該当領域に約０〜２００℃の熱が持続的に加えられる。したがって、複数回反復記録すれば、劣化が生じ、マーク形態に歪曲を引き起こして記録／再生特性が顕著に低下する問題点がある。特に、ディスクにより多くのデータを記録するための高密度、高線速化が進むことによって、基準クロックの周期Ｔが縮まって記録波形を構成するパルス間の熱干渉が大きくなる環境ではさらに激しい。合わせて、従来の記録パターンはマルチパルスを使用しているが、データ伝送速度を速めるためにデータを高速に記録する場合（基準クロックの周期Ｔが縮まる場合）、マークを記録するために伝えられる総パワーも減少して記録マークの形態に歪曲を引き起こしうる。
【０００７】
【発明が解決しようとする課題】
前記問題点を解決するための本発明の目的は、マークの先端及び終端形状の歪曲をさらに抑制でき、反復記録による劣化を抑制できる記録波形でデータを記録する方法及びその装置を提供するところにある。
【０００８】
本発明の他の目的は、マーク形態をさらに改善できる消去パターンを有する記録波形でデータを記録する方法及びその装置を提供するところにある。
【０００９】
本発明のさらに他の目的は、データの高速記録時にもより改善された形態を有するマークを記録できる記録パターンを有する記録波形でデータを記録する方法及びその装置を提供するところにある。
【００１０】
【課題を解決するための手段】
前記目的は、本発明によって、光記録媒体へのデータ記録方法において、（ｂ）ＤＣ記録パターン、及びマルチパルスを含む消去パターンを有する記録波形を用いてマークまたはスペースを形成する段階を含むことを特徴とする方法により達成される。
【００１１】
前記（ｂ）段階は、ＲＬＬ（２、１０）によって記録する段階であり、所定ＮＲＺＩデータの第１レベルをマークとして、第２レベルをスペースとして記録することが望ましい。
【００１２】
また、前記目的は、光記録媒体へのデータ記録方法において、（ａ）チャンネル変調されたデジタルデータを生成する段階と、（ｂ）ＤＣ記録パターン、及びマルチパルスを含む消去パターンを含む記録波形を生成する段階と、（ｃ）生成された記録波形を用いてデジタルデータの第１レベルをマークとして、第２レベルをスペースとして形成する段階と、を含むことを特徴とする方法によっても達成される。
【００１３】
また、前記目的は、光記録媒体へのデータ記録方法において、（ａ）チャンネル変調されたデジタルデータを生成する段階と、（ｂ）変形されたマルチパルスを含む消去パターンを含む記録波形を生成する段階と、（ｃ）生成された記録波形を用いてデジタルデータの第１レベルをマークとして、第２レベルをスペースとして形成する段階と、を含むことを特徴とする方法によっても達成される。
【００１４】
また、前記目的は、光記録媒体へのデータ記録方法において、（ａ）チャンネル変調されたデジタルデータを生成する段階と、（ｂ）変形されたＤＣ記録パターン、及び変形されたマルチパルスを含む消去パターンを含む記録波形を生成する段階と、（ｃ）生成された記録波形を用いてデジタルデータの第１レベルをマークとして、第２レベルをスペースとして形成する段階と、を含むことを特徴とする方法によっても達成される。
【００１５】
前記消去パターンの先頭消去パルスのパワーレベルは前記マルチパルスまたは変形されたマルチパルスのローレベルであり、最終後消去パルスのパワーレベルは前記マルチパルスまたは変形されたマルチパルスのハイレバルであるか、前記消去パターンの先頭消去パルス及び最終後消去パルスのパワーレベルは前記マルチパルスまたは変形されたマルチパルスのハイレバルであるか、前記消去パターンの先頭消去パルス及び最終後消去パルスのパワーレベルは前記マルチパルスまたは変形されたマルチパルスのローレベルであるか、前記消去パターンの先頭消去パルスのパワーレベルは前記マルチパルスまたは変形されたマルチパルスのハイレバルであり、最終後消去パルスのパワーレベルは前記マルチパルスまたは変形されたマルチパルスのローレベルであることが望ましい。
【００１６】
前記ＤＣ記録パターンは相異なるパワーレベルを有する先頭記録パルス、２番目の記録パルス、所定パワーレベルが持続するＤＣパルス、及びクーリングパルスの順になされるか、前記ＤＣ記録パターンは相異なるパワーレベルを有する先頭記録パルス、ＤＣパルス、最後記録パルス、及びクーリングパルスの順になされるか、あるいは相異なるパワーレベルを有する先頭記録パルス、ＤＣパルス、及びクーリングパルスの順になされることが望ましい。
【００１７】
または前記ＤＣ記録パターンは７クロック周期のマークを記録する場合に、相異なるパワーレベルを有する先頭記録パルス、２番目の記録パルス、ＤＣパルス、最後記録パルス、及びクーリングパルスの順になされ、３クロック周期のマークを記録する場合に、相異なるパワーレベルを有する先頭記録パルス、２番目の記録パルス、ＤＣパルス、及びクーリングパルスの順になされることが望ましい。
【００１８】
前記ＤＣパルスのパワーレベルは７クロック周期のマークを記録する場合に、４クロック周期以上持続することが望ましい。
【００１９】
一方、本発明の他の分野によれば、前記目的は、光記録媒体にデータを記録する装置において、ＤＣ記録パターンまたは変形されたＤＣ記録パターンと、マルチパルスまたは変形されたマルチパルスよりなる消去パターンを有する記録波形を生成する記録波形生成部と、生成された記録波形によって前記光記録媒体に光を照射してマークまたはスペースを形成するピックアップ部と、を含むことを特徴とする装置によっても達成される。
【００２０】
前記装置は外部から提供されたデータをチャンネル変調して生成されたＮＲＺＩデータを前記記録波形生成部に出力するチャンネル変調部をさらに含み、前記ピックアップ部は前記光記録媒体を回転させるモータと、前記光記録媒体にレーザー光を照射するか、前記光記録媒体から反射されたレーザー光を受信するための光ヘッドと、前記モータ及び光ヘッドをサーボ制御するサーボ回路と、前記光ヘッドに設けられたレーザーを駆動するレーザー駆動回路と、を備えることが望ましい。
【００２１】
【発明の実施の形態】
以下、添付した図面に基づき、本発明の望ましい実施例を詳細に説明する。
【００２２】
図２は、本発明の望ましい実施例に係る記録装置のブロック図である。記録装置は光記録媒体２００にマークまたはスペースを形成することによってデータを記録する装置であって、ピックアップ部１、記録波形生成部２及びチャンネル変調部３を備える。
【００２３】
チャンネル変調部３は外部から入力されたデータをチャンネルビット列に変調する。記録波形生成部２はチャンネルビット列を提供されてこれを記録するための記録波形を生成する。本発明によって生成された記録波形はＤＣパルスを有するＤＣ記録パターンとマルチパルスを有する消去パターンとを含む。記録波形についての詳細な説明は後述する。ピックアップ部１は生成された記録波形によって光記録媒体１に光を照射してマークまたはスペースを形成する。
【００２４】
図３は、図２の一具現例である。但し、同じ機能を行うブロックについては図２と同じ参照番号を付してその詳細な説明は省略する。記録装置はピックアップ部１、記録波形発生回路２及びチャンネル変調器３を含む。ピックアップ部１は光ディスク２００を回転させるためのモータ１１、光ディスク２００にレーザー光を照射させるか、光ディスク２００から反射されたレーザー光を受信するための光ヘッド１３、モータ１１及び光ヘッド１３をサーボ制御するサーボ回路１２及び光ヘッド１３に設けられたレーザー（図示せず）を駆動するレーザー駆動回路１４を備える。
【００２５】
チャンネル変調器３は、入力されたデータをチャンネルビット列に変調してＮＲＺＩデータを出力する。記録波形発生回路２はＮＲＺＩデータを記録するための記録波形を生じさせてピックアップ部１に備えられたレーザー駆動回路１４に提供する。
【００２６】
レーザー駆動回路１４は受信された記録波形を用いてレーザーを制御することによって光ディスク２００にマークまたはスペースを形成させる。
【００２７】
図４は、記録波形発生回路２により生じる記録波形の例である。ＮＲＺＩデータについての３つの記録波形１、２、３が示されている。
【００２８】
ＮＲＺＩデータはチャンネル変調器３の変調方式によって変わる。すなわち、ＲＬＬ（２、１０）系に変調する場合、すなわちＥＦＭ（Ｅｉｇｈｔ　ｔｏ　Ｆｏｕｒｔｅｅｎ　Ｍｏｄｕｌａｔｉｏｎ）、ＥＦＭ＋（Ｅｉｇｈｔ　ｔｏ　Ｆｏｕｒｔｅｅｎ　Ｍｏｄｕｌａｔｉｏｎ　ｐｌｕｓ）、Ｄ（８−１５）及びデュアル変調によれば最小マーク長は３Ｔであり、最大マーク長は１１Ｔとなる。ここで、Ｄ（８−１５）は２００１年ＯＤＳ（Ｏｐｔｉｃａｌ　Ｄａｔａ　Ｓｔｏｒａｇｅ）で松下電器産業（株）が“Ｏｐｔｉｃａｌ　Ｄｉｓｃ　Ｒｅｃｏｒｄｉｎｇ　Ｓｙｓｔｅｍ　ｏｆ　２５ＧＢ　Ｃａｐａｃｉｔｙ”で発表した変調方式を意味する。デュアル変調は本出願人により１９９９年９月３０日付にて出願されて２０００年１１月２５日付にて公開された韓国特許出願第９９−４２０３２号公報“改善されたＤＣ抑圧能力を有するＲＬＬコード配置方法、変復調方法及び復調装置”に開示されている。ＲＬＬ（１、７）系列を用いて記録すれば最小記録マークは２Ｔであり、最大記録マークは８Ｔとなる。
【００２９】
記録波形１、２、３は本発明に係るＤＣ記録パターン、及びマルチパルスを有する消去パターンの一例を示す。
【００３０】
ＤＣ記録パターンは相異なるパワーレベルを有する先頭パルス、２番目のパルス、ＤＣパルス、クーリングパルスの順になされる。Ｔｆｐ、Ｔｓｐ、Ｔｄｃ、Ｔｃｌは各々これらの持続時間を示す。７Ｔの場合、ＤＣパルスは４Ｔ以上持続する。ＤＣパルスのパワーレベルは先頭パルスのそれより高く、２番目のパルスのそれより低い。クーリングパルスのパワーレベルは先頭パルスのそれより低い。但し、記録波形１の先頭パルスのパワーレベルは後述するマルチパルスのパワーレベルのうちハイレバルと同一であり、記録波形２及び３の先頭パルスのパワーレベルはマルチパルスのパワーレベルのうちローレベルと同一である。
【００３１】
消去パターンはマルチパルスより構成される。Ｔｅｍｐは消去パターンを構成する消去マルチパルスの幅を示す。本実施例においてＴｅｍｐは０．５Ｔである。
【００３２】
記録波形１のマルチパルスを構成する先頭消去パルスＦと最終後消去パルスＬのパワーレベルはマルチパルスのパワーレベルのうちハイレバルを有する。記録波形２と３のマルチパルスを構成する先頭消去パルスＦと最終後消去パルスＬのパワーレベルはマルチパルスのパワーレベルのうちローレベルを有する。最終後消去パルスＬは連続される３Ｔマークを記録するための記録パターンの先頭パルスでもある。記録波形２及び３はマルチパルスのパワーレベルが相異なる消去パターンを有する。
【００３３】
図５は、記録波形発生回路２により生じる記録波形の他の例である。記録波形４、５、６は本発明に係るＤＣ記録パターンの他の例を示す。
【００３４】
ＤＣ記録パターンは相異なるパワーレベルを有する先頭パルス、ＤＣパルス、最後パルス、及びクーリングパルスの順になされる。Ｔｆｐ、Ｔｄｃ、Ｔｌｐ及びＴｃｌは各々これらの持続時間を示す。
【００３５】
７Ｔの場合ＤＣパルスは４Ｔ以上持続する。また、ＤＣパルスのパワーレベルは先頭パルスのそれより高く、最後パルスのそれより低い。クーリングパルスのパワーレベルは先頭パルスのそれより低い。３Ｔの場合、最後パルスのパワーレベルは先頭パルスのそれより大きく、ＤＣパルスのそれより小さい。但し、記録波形４の先頭パルスのパワーレベルは後述するマルチパルスのパワーレベルのうちハイレバルと同一であり、記録波形５及び６の先頭パルスのパワーレベルはマルチパルスのパワーレベルのうちローレベルと同一である。
【００３６】
消去パターンはマルチパルスで構成される。Ｔｅｍｐは消去パターンを構成する消去マルチパルスの幅を示す。本実施例においてＴｅｍｐは０．５Ｔである。
【００３７】
記録波形４のマルチパルスを構成する先頭消去パルスＦと最終後消去パルスＬのパワーレベルはマルチパルスのパワーレベルのうちハイレバルを有する。記録波形５と６のマルチパルスを構成する先頭消去パルスＦと最終後消去パルスＬのパワーレベルはマルチパルスのパワーレベルのうちローレベルを有する。最終後消去パルスＬは連続される３Ｔマークを記録するための記録パターンの先頭パルスでもある。記録波形５及び６はマルチパルスのパワーレベルが相異なる消去パターンを有する。
【００３８】
図６は、記録波形発生回路２により生じる記録波形のさらに他の例である。記録波形７、８、９は本発明に係るＤＣ記録パターンのさらに他の例を示す。
【００３９】
ＤＣ記録パターンは相異なるパワーレベルを有する先頭パルス、ＤＣパルス、最後パルス、及びクーリングパルスの順になされる。Ｔｆｐ、Ｔｄｃ、Ｔｌｐ及びＴｃｌは各々これらの持続時間を示す。
【００４０】
７Ｔのマークを記録する場合、ＤＣパルスは４Ｔ以上持続する。また、ＤＣパルスのパワーレベルは先頭パルスのそれより高く、最後パルスのそれより低い。クーリングパルスのパワーレベルは先頭パルスのそれより低い。３Ｔの場合、最後パルスのパワーレベルは先頭パルスのそれより大きく、ＤＣパルスのそれより小さい。但し、記録波形７の先頭パルスのパワーレベルは後述するマルチパルスのパワーレベルのうちハイレバルと同一であり、記録波形８及び９の先頭パルスのパワーレベルはマルチパルスのパワーレベルのうちローレベルと同一である。
【００４１】
消去パターンはマルチパルスで構成される。Ｔｅｍｐは消去パターンを構成する消去マルチパルスの幅を示す。本実施例においてＴｅｍｐは０．５Ｔである。
【００４２】
記録波形４のマルチパルスを構成する先頭消去パルスＦと最終後消去パルスＬのパワーレベルはマルチパルスのパワーレベルのうちハイレバルを有する。記録波形５と６のマルチパルスを構成する先頭消去パルスＦと最終後消去パルスＬのパワーレベルはマルチパルスのパワーレベルのうちローレベルを有する。最終後消去パルスＬは連続される３Ｔマークを記録するための記録パターンの先頭パルスでもある。記録波形８及び９はマルチパルスのパワーレベルが相異なる消去パターンを有する。
【００４３】
図７及び８は、記録波形発生回路２により生じる記録波形のさらに他の例である。記録波形１０、１１、１２、１３、１４、１５は本発明に係るＤＣ記録パターンのさらに他の例を示す。
【００４４】
ＤＣ記録パターンは、先頭パルス、２番目のパルス、ＤＣパルス、最後パルス、及びクーリングパルスの順になされる。Ｔｆｐ、Ｔｓｐ、Ｔｄｃ、Ｔｌｐ及びＴｃｌは各々これらの持続時間を示す。先頭パルスと最後パルスとのパワーレベルは同一であり、残りパルスのパワーレベルは相異なる。但し、３Ｔのマークを記録するＤＣ記録パターンには最後パルスが存在しない。
【００４５】
７Ｔのマークを記録する場合、ＤＣパルスは４Ｔ以上持続する。また、ＤＣパルスのパワーレベルは先頭パルスのそれより高く、２番目パルス及び最後パルスのそれより低い。クーリングパルスのパワーレベルは先頭パルスのそれより低い。３Ｔの場合ＤＣパルスのパワーレベルは先頭パルスのそれより高く、２番目パルスのそれより低い。但し、記録波形１０と１３の先頭パルスのパワーレベルは後述するマルチパルスのパワーレベルのうちハイレバルと同一であり、記録波形１１、１２、１４及び１５の先頭パルスのパワーレベルはマルチパルスのパワーレベルのうちローレベルと同一である。また、図８の記録波形１３、１４、１５のクーリングパルスのパワーレベルはマルチパルスのローレベルと同一である。
【００４６】
消去パターンはマルチパルスより構成される。Ｔｅｍｐは消去パターンを構成する消去マルチパルスの幅を示す。本実施例においてＴｅｍｐは０．５Ｔである。
【００４７】
記録波形１６のマルチパルスを構成する先頭消去パルスＦ及び最終後消去パルスＬのパワーレベルはマルチパルスのパワーレベルのうちハイレバルを有する。記録波形１７及び１８のマルチパルスを構成する先頭消去パルスＦ及び最終後消去パルスＬのパワーレベルはマルチパルスのパワーレベルのうちローレベルを有する。最終後消去パルスＬは連続される３Ｔマークを記録するための記録パターンの先頭パルスでもある。
【００４８】
図９は、記録波形発生回路２により生じる記録波形のさらに他の例である。記録波形１６、１７、１８は本発明に係るＤＣ記録パターンのさらに他の例を示す。
【００４９】
ＤＣ記録パターンは相異なるパワーレベルを有する先頭パルス、ＤＣパルス、及びクーリングパルスの順になされる。Ｔｆｐ、Ｔｄｃ、Ｔｃｌは各々これらの持続時間を示す。ＤＣパルスのパワーレベルは先頭パルスのそれより高い。クーリングパルスのパワーレベルは先頭パルスのそれより低い。
【００５０】
７Ｔのマークを記録する場合、ＤＣパルスは５Ｔ以上持続する。３Ｔの場合、ＤＣパルスは１Ｔ以上持続する。但し、記録波形１６の先頭パルスのパワーレベルは後述するマルチパルスのパワーレベルのうちハイレバルと同一であり、記録波形１７、１８の先頭パルスのパワーレベルはマルチパルスのローレベルと同一である。
【００５１】
消去パターンはマルチパルスより構成される。Ｔｅｍｐは消去パターンを構成する消去マルチパルスの幅を示す。本実施例においてＴｅｍｐは０．５Ｔである。
【００５２】
記録波形１６のマルチパルスを構成する先頭消去パルスＦ及び最終後消去パルスＬのパワーレベルはマルチパルスのパワーレベルのうちハイレバルを有する。記録波形１７、１８のマルチパルスを構成する先頭消去パルスＦ及び最終後消去パルスＬのパワーレベルはマルチパルスのパワーレベルのうちローレベルを有する。最終後消去パルスＬは連続される３Ｔマークを記録するための記録パターンの先頭パルスでもある。
【００５３】
図１０は、記録波形発生回路２により生じる記録波形のさらに他の例である。記録波形１９、２０、２１は本発明に係る消去パターンのさらに他の例を示す。
【００５４】
ＤＣ記録パターンは相異なるパワーレベルを有する先頭パルス、２番目パルス、ＤＣパルス、クーリングパルスの順になされる。Ｔｆｐ、Ｔｓｐ、Ｔｄｃ、Ｔｃｌは各々これらの持続時間を示す。７Ｔのマークを記録する場合、ＤＣパルスは４Ｔ以上持続する。ＤＣパルスのパワーレベルは先頭パルスのそれより高く、２番目パルスのそれより低い。クーリングパルスのパワーレベルは先頭パルスのそれより低い。但し、記録波形１９の先頭パルスのパワーレベルは後述するマルチパルスのパワーレベルのうちハイレバルと同一であり、記録波形２０、２１の先頭パルスのパワーレベルはマルチパルスのパワーレベルのうちローレベルと同一である。
【００５５】
消去パターンは変形されたマルチパルスより構成される。変形されたマルチパルスは各単位パルスの持続時間を異にして得られる。但し、記録波形１９のマルチパルスを構成する先頭消去パルスＦ及び最終後消去パルスＬのパワーレベルはマルチパルスのパワーレベルのうちハイレバルを有する。記録波形２０、２１のマルチパルスを構成する先頭消去パルスＦ及び最終後消去パルスＬのパワーレベルはマルチパルスのパワーレベルのうちローレベルを有する。最終後消去パルスＬは連続される３Ｔマークを記録するための記録パターンの先頭パルスでもある。
【００５６】
図１１は、記録波形発生回路２により生じる記録波形のさらに他の例である。記録波形２２、２３、２４は本発明に係る消去パターンのさらに他の例を示す。
【００５７】
ＤＣ記録パターンは相異なるパワーレベルを有する先頭パルス、ＤＣパルス、クーリングパルスの順になされる。Ｔｆｐ、Ｔｄｃ、Ｔｃｌは各々これらの持続時間を示す。７Ｔのマークを記録する場合、ＤＣパルスは５Ｔ以上持続し、３Ｔの場合ＤＣパルスは１Ｔ以上持続する。ＤＣパルスのパワーレベルは先頭パルスのそれより高い。クーリングパルスのパワーレベルは先頭パルスのそれより低い。但し、記録波形２２、２３、２４の先頭パルスのパワーレベルは後述する変形されたマルチパルスのパワーレベルのうちハイレバルと同一である。
【００５８】
消去パターンは変形されたマルチパルスより構成される。変形されたマルチパルスは各単位パルスの持続時間を異にして得られる。但し、記録波形２２の変形されたマルチパルスを構成する先頭消去パルスＦのパワーレベルは変形されたマルチパルスのローレベルを有し、最終後消去パルスＬのパワーレベルはマルチパルスのハイレバルを有する。記録波形２３、２４の変形されたマルチパルスを構成する先頭消去パルスＦはマルチパルスのローレベルを有し、最終後消去パルスＬのパワーレベルはマルチパルスのハイレバルを有する。最終後消去パルスＬは連続される３Ｔマークを記録するための記録パターンの先頭パルスでもある。
【００５９】
図１２は、記録波形発生回路２により生じる記録波形のさらに他の例を示す。図１２に示された記録波形２５、２６、２７は本発明に係る記録波形のさらに他の例である。
【００６０】
記録パターンは７Ｔの場合、先頭パルス、変形されたＤＣパルス、及びクーリングパルスの順になされる。変形されたＤＣパルスは１Ｔ以上ＤＣレベルを保っていて１Ｔ以下にそのレベルをクーリングパルスと同じレベルに数回落とす方式により発せられる。３Ｔの場合、先頭パルス、ＤＣパルス、及びクーリングパルスの順になされる。Ｔｆｐ、Ｔｄｃ、及びＴｃｌは各々それらの持続時間を示す。
【００６１】
消去パターンはマルチパルスより構成される。Ｔｅｍｐは消去パターンを構成する消去マルチパルスの幅を示す。本実施例においてＴｅｍｐは０．５Ｔである。
【００６２】
記録波形２５のマルチパルスを構成する先頭消去パルスＦ及び最終後消去パルスＬのパワーレベルはマルチパルスのハイレバルを有する。記録波形２６、２７のマルチパルスを構成する先頭消去パルスＦ及び最終後消去パルスＬのパワーレベルはマルチパルスのローレベルを有する。最終後消去パルスＬは連続される３Ｔマークを記録するための記録パターンの先頭パルスでもある。
【００６３】
図１３は、記録波形発生回路２により生じる記録波形のさらに他の例を示す。図１３に示された記録波形２８、２９、３０は本発明に係る記録波形のさらに他の例である。
【００６４】
記録パターンは７Ｔの場合、先頭パルス、変形されたＤＣパルス、及びクーリングパルスの順になされる。変形されたＤＣパルスは１Ｔ以上ＤＣレベルを保っていて１Ｔ以下にそのレベルをクーリングパルスと同じレベルに数回落とす方式により発せられる。３Ｔの場合、先頭パルス、ＤＣパルス、及びクーリングパルスの順になされる。Ｔｆｐ、Ｔｄｃ、及びＴｃｌは各々これらの持続時間を示す。
【００６５】
消去パターンは変形されたマルチパルスより構成される。変形されたマルチパルスは各単位パルスの持続時間を異にして得られる。但し、記録波形２８の変形されたマルチパルスを構成する先頭消去パルスＦ及び最終後消去パルスＬのパワーレベルは変形されたマルチパルスのハイレバルを有する。記録波形２９、３０の変形されたマルチパルスを構成する先頭消去パルスＦはマルチパルスのローレベルを有し、最終後消去パルスＬのパワーレベルはマルチパルスのハイレバルを有する。最終後消去パルスＬは連続される３Ｔマークを記録するための記録パターンの先頭パルスでもある。
【００６６】
図１４ないし図１６は、本発明の望ましい実施例に係る４種類タイプの消去パターンを説明するために概略的に示す記録波形を示す。
【００６７】
図１４ないし図１５を参照すれば、変形されたマルチパルスより構成された消去パターンは（ａ）ＬＨ、（ｂ）ＬＬ、（ｃ）ＨＨ及び（ｄ）ＨＬの４つに分類される。各消去パターンはその違いを容易に区分できるように特徴的な部分を円で表示した。まず、（ａ）ＬＨは、先頭消去パルスのパワーレベルが変形されたマルチパルスのローレベルと同一であり、最終後消去パルスのパワーレベルが変形されたマルチパルスのハイレバルと同一である場合を言う。（ｂ）ＬＬは先頭消去パルス及び最終後消去パルスのパワーレベルが全て変形されたマルチパルスのローレベルと同一である場合を言う。（ｃ）ＨＨは先頭消去パルス及び最終後消去パルスのパワーレベルが全て変形されたマルチパルスのハイレバルと同一である場合を言う。最後に、（ｄ）ＨＬは先頭消去パルスのパワーレベルが変形されたマルチパルスのハイレバルと同一であり、最終後消去パルスのパワーレベルが変形されたマルチパルスのローレベルと同一である場合を言う。
【００６８】
一方、前述した実施例において消去パターンを構成するマルチパルスのハイレバルの持続時間及びローレベルの持続時間は０．５Ｔ、すなわち１：１の場合についてのみ説明したが、その比率はｍ：ｎと多様に変更できる（ｍ、ｎは整数）。
【００６９】
このように、本発明に係る記録波形はマルチパルスより構成された消去パターンを有することによってマークの端部の歪曲を減少させ、再生特性の向上をもたらす。また、本発明に係る記録波形はＤＣパルスを含むＤＣ記録パターンを有することによって高速データ記録時にも伝えられる総パワー量が減らなくなり、より制御しやすくなってマークの形態をより改善させうる。
【００７０】
一方、かかる４つの消去パターンに関する情報（タイプ情報）は記録可能ディスクのリードイン領域に記録されるか、ウォッブル信号にヘッダ情報の１つとして載せられる。それにより、記録装置はデータの記録時にリードイン領域やウォッブル信号からタイプ情報を読取って該当記録波形を生じさせてマーク及びスペースを形成できる。
【００７１】
さらに、４種の消去パターンは記録再生時にディスクの倍速やマークの種類を示す記号として使用されうる。例えば、「ＬＨタイプの消去パターンを使用するディスクは倍速を２０とする」は情報を表示できる。
【００７２】
かような構成に基づいて本発明の望ましい実施例に係る記録方法を説明すれば次の通りである。
【００７３】
図１７は、本発明の望ましい実施例に係る記録方法を説明するためのフローチャートである。記録装置は外部からデータを入力されて変調してＮＲＺＩデータを生成する（１７０１段階）。次いで、ＤＣ記録パターン、及びマルチパルスを含む消去パターンを有する記録波形を生成する（１７０２段階）。次いで、生成された記録波形を用いて光ディスク２００にマークまたはスペースを形成する（１７０３段階）。
【００７４】
一方、前述した記録波形は全て７Ｔ、３Ｔについてのみ説明したが、これに基づいて２Ｔ、４〜６Ｔに関するマーク及びスペースを形成する記録パターン及び消去パターンを生成することは当業者にとって容易なものである。
【００７５】
【発明の効果】
以上述べたように、本発明によれば、記録時隣接マーク間の熱干渉及び熱蓄積によるマーク形状の歪曲を抑制すると同時にマーク形状が改善される記録波形を用いてデータを記録する方法及びその装置が提供される。また、高速記録時にもマーク形状が正しく形成されうる。これにより、記録／再生特性が向上する。
【図面の簡単な説明】
【図１】従来の方式に係る記録波形を示す参考図である。
【図２】本発明の望ましい実施例に係る記録装置のブロック図である。
【図３】図２の一具現例である。
【図４】記録波形発生回路により生じる記録波形の例である。
【図５】記録波形発生回路により生じる記録波形の例である。
【図６】記録波形発生回路により生じる記録波形の例である。
【図７】記録波形発生回路により生じる記録波形の例である。
【図８】記録波形発生回路により生じる記録波形の例である。
【図９】記録波形発生回路により生じる記録波形の例である。
【図１０】記録波形発生回路により生じる記録波形の例である。
【図１１】記録波形発生回路により生じる記録波形の例である。
【図１２】記録波形発生回路により生じる記録波形の例である。
【図１３】本発明の望ましい実施例に係る４種の消去パターンを説明するための波形図である。
【図１４】本発明の望ましい実施例に係る４種の消去パターンを説明するための波形図である。
【図１５】本発明の望ましい実施例に係る４種の消去パターンを説明するための波形図である。
【図１６】本発明の望ましい実施例に係る４種の消去パターンを説明するための波形図である。
【図１７】本発明の望ましい実施例に係る記録方法を説明するためのフローチャートである。
【符号の説明】
１　　　ピックアップ部
２　　　記録波形生成部
３　　　チャンネル変調部
１１　　モータ
１２　　サーボ回路
１３　　光ヘッド
１４　　レーザー駆動回路
２００　光ディスク
【図１】
2004014101.tif 000003
【図２】
2004014101.tif 000004
【図３】
2004014101.tif 000005
【図４】
2004014101.tif 000006
【図５】
2004014101.tif 000007
【図６】
2004014101.tif 000008
【図７】
2004014101.tif 000009
【図８】
2004014101.tif 000010
【図９】
2004014101.tif 000011
【図１０】
2004014101.tif 000012
【図１１】
2004014101.tif 000013
【図１２】
2004014101.tif 000014
【図１３】
2004014101.tif 000015
【図１４】
2004014101.tif 000016
【図１５】
2004014101.tif 000017
【図１６】
2004014101.tif 000018
【図１７】
2004014101.tif 000019